(57)【要約】【課題】挿通部を通って外部に異物が落下するのを防止した作業用フードを提供する。【解決手段】着用者の頭部を覆いつつ開口部２を有する作業用フード本体１０と、開口部の上側周縁２ａに長辺４ｉが取り付けられる上側縁取り布４と、を有する作業用フード１００であって、上側縁取り布の両端の内側又は外側にそれぞれ重なるように当て布７０が接合され、かつ重なり部Ｖにおいて、当て布と上側縁取り布の面同士の少なくとも一部、及び当て布の前縁７０ｆと上側縁取り布との少なくとも一部が接合されず、当て布と上側縁取り布のうち内側の布における重なり部の一部の領域で、かつ当て布の前縁より後側の位置に、着用者の眼鏡８０のツル８１を挿通させる挿通部６ｓが設けられている。【選択図】図３
2012137357.tif 000002
【特許請求の範囲】
【請求項１】
着用者の頭部を覆いつつ、顔の少なくとも一部を露出させる開口部を有する作業用フード本体と、
前記作業用フード本体の開口部の上部を含む上側周縁に、自身の一方の長辺が取り付けられる帯状伸縮性の上側縁取り布と、
を有する作業用フードであって、
前記上側縁取り布の両端の内側又は外側にそれぞれ重なるように当て布が接合され、
当該重なり部において、前記当て布と前記上側縁取り布の面同士の少なくとも一部、及び前記当て布の前縁と前記上側縁取り布との少なくとも一部が接合されず、
前記当て布と前記上側縁取り布のうち内側の布における前記重なり部の一部の領域で、かつ前記当て布の前記前縁より後側の位置に、前記重なり部における前記当て布の前縁を通って前記着用者の眼鏡のツルを挿通させる挿通部が設けられている作業用フード。
【請求項２】
前記当て布は、前記上側縁取り布の両端の内側にそれぞれ重なるように接合され、当該重なり部において、前記当て布の前縁は前記上側縁取り布より外側に露出しない請求項１に記載の作業用フード。
【請求項３】
着用者の頭部を覆いつつ、顔の少なくとも一部を露出させる開口部を有する作業用フード本体と、
前記作業用フード本体の開口部の上部を含む上側周縁に、自身の一方の長辺が取り付けられる帯状伸縮性の上側縁取り布と、
を有する作業用フードであって、
前記作業用フード本体の開口部のうち前記上側周縁より下側の領域に、自身の一方の長辺が取り付けられる帯状伸縮性の下側縁取り布を有し、
前記下側縁取り布の両端は、前記開口部の両側面部にそれぞれ接合され、
前記上側縁取り布の両端は、前記下側縁取り布の両端の上にそれぞれ重なり、当該重なり部において、前記下側縁取り布の他の長辺は前記上側縁取り布より外側に露出せず、
かつ前記重なり部において、前記下側縁取り布と前記上側縁取り布の面同士の少なくとも一部、及び前記下側縁取り布の他の長辺と前記上側縁取り布の他の長辺との少なくとも一部が接合されず、
前記下側縁取り布の両端のうち前記他の長辺より後側で、かつ前記重なり部の一部に、前記重なり部における前記下側縁取り布の他の長辺を通って前記着用者の眼鏡のツルを挿通させる挿通部が設けられている作業用フード。
【請求項４】
前記作業用フード本体は、
前記着用者の少なくとも頸部を覆い、前記開口部の下側周縁の少なくとも一部をなす略筒状の頸部布と、
前記開口部の上側周縁の少なくとも一部をなすと共に頂部を通ってから後頭部又は頸部にて前記頸部布に接合され、上下方向の中心線に沿って分割される２枚の頂部押さえ布と、
を備えている請求項１〜３のいずれかに記載の作業用フード。
【請求項５】
前記頸部布は、前記上側周縁と前記下側周縁との交点の高さまで形成されている請求項１〜４のいずれかに記載の作業用フード。
【請求項６】
前記頸部布及び前記頂部押さえ布の間に位置してこれらに接合されると共に、前記開口部の上側周縁及び下側周縁の一部をなし、前記着用者の側頭部を左右からそれぞれ覆う２枚の側頭部押さえ布と、を備えている請求項１〜５のいずれかに記載の作業用フード。
【請求項７】
前記頸部布、前記頂部押さえ布、及び前記側頭部押さえ布が両面飾り縫いで縫い付けられている請求項１〜６のいずれかに記載の作業用フード。
【請求項８】
前記頸部布に、周方向に沿って調整ベルトが設けられている請求項１〜７のいずれかに記載の作業用フード。
【請求項９】
前記頂部押さえ布及び前記側頭部押さえ布がメッシュ素材からなり、さらに前記頂部押さえ布及び前記側頭部押さえ布を着脱自在に覆うカバーを有する請求項４〜８のいずれかに記載の作業用フード。
【発明の詳細な説明】
【技術分野】
【０００１】
本発明は、クリーンルーム内や食品工場等での作業時に着用する作業用フード（ずきん）に関する。
【背景技術】
【０００２】
クリーンルーム内や食品工場等での作業時には、作業者は頭部を覆う作業用フード（ずきん）を着用し、顔面からの汗や髪の毛等の異物落下を防止している。この作業用フードは、着用者の頭部を覆いつつ、顔の少なくとも一部を露出させる開口部を有しており、さらに開口部の周縁に帯状伸縮性の布を上下に取り付けて顔面に密着させ、開口部の隙間から髪の毛等が落下しないようにした技術が知られている（特許文献１）。
さらに、この技術においては、上側帯状布部及び下側帯状布部の接合部の裏面側に、作業者がかける眼鏡のツルを挿通させるための挿通部が設けられている。
又、フードにおいて、後頭部用布の側と額部用布の側縁との一部を縫い付けず、このスリット状の隙間を挿通部として眼鏡のツルを挿通させる技術が知られている（特許文献２）。
【先行技術文献】
【特許文献】
【０００３】
【特許文献１】特開２００６−２２４３４号公報（請求項３、図４）
【特許文献２】特開２００２−１６１４２４号公報
【発明の概要】
【発明が解決しようとする課題】
【０００４】
ところで、上記した特許文献１記載の技術の場合、挿通部を構成する矩形状布片の一部（前縁）が、上側帯状布部及び下側帯状布部の接合部から表側に露出して大きく開いている。このため、作業用フード内部の着用者の頭部から脱落した髪の毛等が、眼鏡のツルから挿通部を通ってこの矩形状布片の露出部で外部に落下するおそれがある。又、矩形状布片が上側帯状布部及び下側帯状布部にわたって取り付けられ、矩形状布片の後端側が大きく開口しているため、当該後端側で眼鏡のツルが上下に動いて眼鏡がずり落ちる可能性がある。
又、特許文献２記載の技術の場合、挿通部となるスリット自身が表側に露出しており、又、作業時に頭を動かした際に挿通部となるスリットの重なりが開くので、作業用フード内部の着用者の頭部から脱落した髪の毛等が、挿通部から容易に外部に落下する。【０００５】
すなわち、本発明は上記の課題を解決するためになされたものであり、挿通部を通って外部に異物が落下するのを防止した作業用フードの提供を目的とする。
【課題を解決するための手段】
【０００６】
本発明の作業用フードは、着用者の頭部を覆いつつ、顔の少なくとも一部を露出させる開口部を有する作業用フード本体と前記作業用フード本体の開口部の上部を含む上側周縁に、自身の一方の長辺が取り付けられる帯状伸縮性の上側縁取り布と、を有する作業用フードであって、前記上側縁取り布の両端の内側又は外側にそれぞれ重なるように当て布が接合され、当該重なり部において、前記当て布の前縁は前記上側縁取り布より外側に露出せず、かつ前記重なり部において、前記当て布と前記上側縁取り布の面同士の少なくとも一部、及び前記当て布の前縁と前記上側縁取り布との少なくとも一部が接合されず、前記当て布と前記上側縁取り布のうち内側の布における前記重なり部の一部の領域で、かつ前記当て布の前記前縁より後側の位置に、前記重なり部における前記当て布の前縁を通って前記着用者の眼鏡のツルを挿通させる挿通部が設けられている。
このような構成とすると、眼鏡のツルを挿通させる前後の部位である、当て布の前縁から挿通部までの部位が当て布と上側縁取り布との重なり部となっているので、この重なり部で眼鏡のツルがしっかりと保持される。従って、作業用フード内の着用者の頭部から髪の毛等が脱落して眼鏡のツルから挿通部を通ったとしても、重なり部の両布（当て布と上側縁取り布）で押さえられるので、外部に落下することが防止される。
又、眼鏡のツルを通す挿通部が重なり部の領域内（つまり、上下方向に見て挿通部が重なり部の寸法より小さい）に設けられているので、眼鏡のツルが挿通部より上下に動かずに挿通部内に保持され、眼鏡がずり落ちることを防止する。さらに、この挿通部は当て布と上側縁取り布のうち内側の布に設けられるので、挿通部が外部に露出せず、髪の毛等が脱落して眼鏡のツルから挿通部を通ったとしても、外側の布で押さえられる。【０００７】
前記当て布は、前記上側縁取り布の両端の内側にそれぞれ重なるように接合され、当該重なり部において、前記当て布の前縁は前記上側縁取り布より外側に露出しないように構成されるとよい。
このような構成とすると、眼鏡のツルを挿通させる部位である、重なり部における当て布の前縁から挿通部までの部位が上側縁取り布に覆われているので、当て布の前縁及び挿通部が表側に露出しない。このため、作業用フード内の着用者の頭部から髪の毛等が脱落して眼鏡のツルから挿通部を通り、当て布の前縁へ移動したとしても、上側縁取り布で押さえられるので（保持されるので）外部に落下することが防止される。又、当て布の前縁が上側縁取り布で覆われているので、髪の毛等が外部に落下することが確実に防止される。【０００８】
又、本発明の作業用フードは、着用者の頭部を覆いつつ、顔の少なくとも一部を露出させる開口部を有する作業用フード本体と、前記作業用フード本体の開口部の上部を含む上側周縁に、自身の一方の長辺が取り付けられる帯状伸縮性の上側縁取り布と、
を有する作業用フードであって、前記作業用フード本体の開口部のうち前記上側周縁より下側の領域に、自身の一方の長辺が取り付けられる帯状伸縮性の下側縁取り布を有し、前記下側縁取り布の両端は、前記開口部の両側面部にそれぞれ接合され、前記上側縁取り布の両端は、前記下側縁取り布の両端の上にそれぞれ重なり、当該重なり部において、前記下側縁取り布の他の長辺は前記上側縁取り布より外側に露出せず、かつ前記重なり部において、前記下側縁取り布と前記上側縁取り布の面同士の少なくとも一部、及び前記下側縁取り布の他の長辺と前記上側縁取り布の他の長辺との少なくとも一部が接合されず、前記下側縁取り布の両端のうち前記他の長辺より後側で、かつ前記重なり部の一部に、前記重なり部における前記下側縁取り布の他の長辺を通って前記着用者の眼鏡のツルを挿通させる挿通部が設けられている。
このような構成とすると、下側縁取り布が当て布を兼用し、下側縁取り布の一部に挿通部を形成すればよいので、眼鏡のツルを挿通する別部材としての当て布が不要となり、部材点数や縫い付け作業が低減してコストダウンが図られる。【０００９】
前記作業用フード本体は、前記着用者の少なくとも頸部を覆い、前記開口部の下側周縁の少なくとも一部をなす略筒状の頸部布と、前記開口部の上側周縁の一部をなすと共に頂部を通ってから後頭部又は頸部にて前記頸部布に接合され、上下方向の中心線に沿って分割される２枚の頂部押さえ布と、を備えていてもよい。
このような構成とすると、頂部押さえ布が額から頭頂を経て、少なくとも後頭部までの着用者の髪の毛の生えている部分を縫い目なく連続して覆うので、作業時に頭が動いても頂部押さえ布がそれに追随して顔面からの髪の毛等の異物落下を防止すると共に、着用時の違和感を軽減する。又、頂部押さえ布が中心線で左右に分かれているため、頂部押さえ布が着用者の頭部を立体的に覆うことができ、この点でも着用時の違和感を軽減する。
又、頂部押さえ布が額から頭頂を経て、少なくとも後頭部まで着用者の頭部を縫い目なく覆うので、頭部へのフィット感が良く、頂部押さえ布の位置で着用者の頭部にフィットするための調整ゴム等の設置が不要となり、頭部の違和感を防止して長時間の作業が行えると共に、コストダウン、軽量化が図られる。【００１０】
前記頸部布は、前記上側周縁と前記下側周縁との交点の高さまで形成されていてもよい。
このような構成とすると、着用者のほぼ耳の高さで頂部押さえ布と頸部布が縫い合わされ、頂部押さえ布が後頭部まで着用者の頭部を縫い目なく覆うことになる。【００１１】
前記頸部布及び前記頂部押さえ布の間に位置してこれらに接合されると共に、前記開口部の上側周縁及び下側周縁の一部をなし、前記着用者の側頭部を左右からそれぞれ覆う２枚の側頭部押さえ布と、を備えていてもよい。
このような構成とすると、高さ方向に見て、頸部布と頂部押さえ布の間に側頭部押さえ布が介在するので、その分だけ頸部布の高さが低くなり、頂部押さえ布が額から頭頂を経て、うなじまでの着用者の髪の毛の生えている部分を縫い目なく連続して覆う。又、頂部押さえ布が中心線で左右に分かれつつ、着用者の側頭部を覆う側頭部押さえ布と接合されているため、頂部押さえ布が着用者の頭部を立体的に覆うことができ、この点でも着用時の違和感を軽減する。【００１２】
前記頸部布、前記頂部押さえ布、及び前記側頭部押さえ布が両面飾り縫いで縫い付けられていると、着用時の縫い目による違和感を防止するので好ましい。
前記頸部布に、周方向に沿って調整ベルトが設けられていると、調整ベルトを引っ張ることで頸部布が縮径し、頸部からの異物の落下を防止することができる。【００１３】
前記頂部押さえ布及び前記側頭部押さえ布がメッシュ素材からなり、さらに前記頂部押さえ布及び前記側頭部押さえ布を着脱自在に覆うカバーを有してもよい。
このように、頂部押さえ布及び側頭部押さえ布をメッシュ素材から構成すると、通気性が良いので長時間の着用に耐えることができる。但し、メッシュ素材から髪の毛が貫通して外部に飛び出したり落下することがあるが、メッシュ素材を覆うようにカバーを着脱自在に取り付けることで、かかる不具合も防止できる。
【発明の効果】
【００１４】
本発明によれば、部材点数を増やさずに眼鏡のツルの挿通部を設けることができ、さらに挿通部を通って外部に異物が落下するのを防止した作業用フードが得られる。
【図面の簡単な説明】
【００１５】
【図１】本発明の第１実施形態に係る作業用フードの正面図である。
【図２】第１の実施形態に係る作業用フードの側面図である。
【図３】眼鏡着用時の第１の実施形態に係る作業用フードの側面図である。
【図４】第１の実施形態に係る作業用フードの上面図である。
【図５】第１の実施形態に係る作業用フードの背面図である。
【図６】第１の実施形態において、第１の発明の実施形態に係る作業用フードの内側から見た、スリットの形状を示す平面図である。
【図７】各頂部押さえ布及び各側頭部押さえ布をメッシュ素材から構成した作業用フード、及びメッシュ素材をカバー（布帛）で覆った状態を示す図である。
【図８】本発明の第２の実施形態に係る作業用フードの正面図である。
【図９】第２の実施形態に係る作業用フードの側面図である。
【図１０】第２の実施形態に係る作業用フードの上面図である。
【図１１】第２の実施形態に係る作業用フードの背面図である。
【図１２】第１の実施形態に係る作業用フードの底面図である。
【図１３】第２の実施形態に係る作業用フードの底面図である。
【図１４】第１の実施形態に係る作業用フードの内側から見たときの、スリットに眼鏡のツルを挿通する状態を示す平面図である。
【図１５】図１４においてスリットの代わりに、切り欠き部を挿通部として設けた場合の眼鏡のツルを挿通する状態を示す平面図である。
【図１６】本発明の第３の実施形態に係る作業用フードの正面図である。
【図１７】本発明の第３の実施形態に係る作業用フードの側面図である。
【図１８】作業用フードの内側から見たときの、挿通部に眼鏡のツルを挿通する状態を示す平面図である。
【図１９】本発明の第４の実施形態に係る作業用フードの正面図である。
【図２０】本発明の第４の実施形態に係る作業用フードの側面図である。
【図２１】作業用フードの内側から見たときの、挿通部に眼鏡のツルを挿通する状態を示す平面図である。
【発明を実施するための形態】
【００１６】
以下、本発明の実施形態に係る作業用フードについて説明する。
図１は本発明の第１の発明の実施形態に係る作業用フード１００の正面図、図２は作業用フード１００の側面図、図３は眼鏡着用時の作業用フード１００の側面図、図４は作業用フード１００の上面図、図５は作業用フード１００の背面図を示す。
【００１７】
図１、図２に示すように、作業用フード１００は着用者の頭部及び頸部を覆う頭巾状に形成され、着用者の顔の少なくとも一部を露出させる開口部２を有する作業用フード本体１０と、開口部２の上側周縁２ａに取り付けられる帯状伸縮性の上側縁取り布４と、開口部２のうち上側周縁４より下側の領域（以下、「下側周縁」という）２ｂに取り付けられる帯状伸縮性の下側縁取り布６と、を有する。開口部２からは、着用者の顔面（通常、目、鼻、口）を露出させることができる。
作業用フード本体１０は、着用者の頸部を覆う略筒状の頸部布１８と、開口部２の上側周縁２ａの中央部から頂部１０ａ（図２、図４参照）を通って頸部布１８に接合される２枚の頂部押さえ布１１、１２と、頸部布１８と頂部押さえ布１１、１２の間に位置してこれらに接合され、着用者の側頭部を左右からそれぞれ覆う２枚の側頭部押さえ布１３、１４と、を備えている。
作業用フード本体１０は、通気透湿性のシート素材（例えばニット素材）からなる上記の頸部布１８、頂部押さえ布１１、１２、及び側頭部押さえ布１３、１４を縫合して形成されている。
【００１８】
側面から見て、開口部２の上側周縁２ａと下側周縁２ｂとは、着用者のこめかみ近傍の「くの字」状の交点Ｐで（図２参照）交わっている。
２枚の頂部押さえ布１１、１２は帯状をなし、上下方向の中心線Ｌに沿って互いに分割されている。又、作業用フード１００を正面から見て、各頂部押さえ布１１、１２は中心線Ｌから約３０度の角度となる側面まで形成されている。又、側面から見て（図２参照）、頸部布１８の上端は三角形に形成され、その前方の辺が下側周縁２ｂの下部をなしている。
一方、側頭部押さえ布１３、１４は、各頂部押さえ布１１、１２の側縁部に沿って円弧状に形成されると共に、上側周縁２ａ、下側周縁２ｂ、及び頸部布１８の縁部に沿う形状になっている。側頭部押さえ布１３、１４は、着用者の耳を含む側頭部を覆う。
このように、頂部押さえ布１１、１２が額から頭頂を経てうなじまでの着用者の髪の毛の生えている部分を縫い目なく連続して覆うので、作業時に頭が動いても頂部押さえ布１１、１２がそれに追随して顔面からの髪の毛等の異物落下を防止すると共に、着用時の違和感を軽減する（図４、図５参照）。又、頂部押さえ布１１、１２が中心線Ｌで左右に分かれつつ、着用者の側頭部を覆う側頭部押さえ布１３、１４と接合されているため、頂部押さえ布１１、１２が着用者の頭部を立体的に覆うことができ、この点でも着用時の違和感を軽減する。
【００１９】
上側縁取り布４及び下側縁取り布６は、伸縮性を有する例えばネット状に編み込まれたニット素材の帯状体からなり、伸長しない状態でそれぞれの一方の長辺４ｉ、６ｉが上側周縁２ａ、下側周縁２ｂに接合（縫合）される。
これにより、着用時には着用者の顔の大きさや形状に追随して上側縁取り布４及び下側縁取り布６が伸縮し、着用者の顔と密着するので、作業時に頭が動いてもそれに追随して顔面からの髪の毛等の異物落下を防止する。
なお、上側縁取り布４が着用者の額から両こめかみ近傍に密着し、下側縁取り布６が着用者の両こめかみ近傍から顎に密着する。又、図１の例では、上側縁取り布４は、頂部押さえ布１１と側頭部押さえ布１３の合わせ目Ｓ、及び頂部押さえ布１２と側頭部押さえ布１４の合わせ目Ｓと同じ位置にて、縫い目４ｘで立体的に縫い込まれ、フィット感を増している。
【００２０】
図２に示すように、上側縁取り布４は着用者の額から両こめかみに向かって弧状に立ち下り、上側縁取り布４の両端４ｅは、開口部の両側面部（交点Ｐ近傍）に接合されている。より詳しくは、上側縁取り布４の両端４ｅのうち、一方の長辺４ｉ側が開口部２の上側周縁２ａに取り付けられ、両端４ｅの先端部分（上側縁取り布４の短辺）が、交点Ｐから下側周縁２ｂに至る領域に取り付けられている。
一方、下側縁取り布６は着用者の顎から両こめかみに向かって弧状に立ち上がり、下側縁取り布６の両端６ｅは、開口部の両側面部（交点Ｐ）に接合されている。より詳しくは、下側縁取り布６の両端６ｅのうち、一方の長辺６ｉ側が開口部２の下側周縁２ｂに取り付けられ、両端６ｅの先端部分（下側縁取り布６の短辺）が、交点Ｐから上側周縁２ａに至る領域に取り付けられている。
【００２１】
ここで図２に示すように、上側縁取り布４の両端４ｅは、下側縁取り布６の両端６ｅの上にそれぞれ重なっており、重なり部Ｖ（図２のハッチング）において、下側縁取り布６の他の長辺６ｆ（図２の破線部分）は上側縁取り布４より外側に露出せず、当該長辺６ｆが上側縁取り布４に覆われている。
又、
重なり部Ｖにおいて、下側縁取り布６と上側縁取り布４の面同士、及び下側縁取り布６の他の長辺６ｆと上側縁取り布４の他の長辺４ｆとが接合されていない。このため、下側縁取り布６の他の長辺６ｆ（図２の破線部分）が前方に向かって開口しつつ、この開口部から着用者の眼鏡８０のツル８１を挿通することができる。
そして、下側縁取り布６の両端６ｅのうち、重なり部Ｖの一部（図２では、交点Ｐよりやや前方）に、上下方向に延びるスリット（挿通部）６ｓが形成されている。従って、下側縁取り布６の他の長辺６ｆ（図２の破線部分）からスリット６ｓへ眼鏡８０のツル８１を挿通可能になっている（図３参照）。
【００２２】
このように、下側縁取り布６の一部にスリット（挿通部）６ｓを形成すればよいので、眼鏡のツルを挿通する別部材としての当て布が不要となり、部材点数や縫い付け作業が低減してコストダウンが図られる。これに対し、上記した特許文献１記載の技術の場合、上側帯状布部と下側帯状布部とを両端（着用者のこめかみ近傍）で重ねた接合部にて、裏側から矩形状布片を縫着し、この接合部と矩形状布片との隙間を眼鏡のツルを挿通させる挿通部としている。このため、上側帯状布部及び下側帯状布部の他に、矩形状布片を容易しなければならず、部材点数や縫い付け作業が増大してコストアップに繋がる。
又、本実施形態では、下側縁取り布６の上に上側縁取り布４を重ねているので、眼鏡８０のツル８１を挿通させる部位である、重なり部における他の長辺６ｆ（図２の破線部分）から挿通部６ｓに至る領域が上側縁取り布４で隠れて表側に露出しない。このため、作業用フード内の着用者の頭部から髪の毛等が脱落して挿通部６ｓを通り、重なり部における他の長辺６ｆへ移動したとしても、上側縁取り布４で押さえられるので（保持されるので）外部に落下することが防止される。
【００２３】
図６は、作業用フードの内側から見たスリット６ｓの形状を示す平面図である。この例では、スリット６ｓは、上下方向に延び、かつ前側が凸となる円弧状に設けられている。スリット６ｓを弧状に設けると、単なる直線状のスリットに比べて眼鏡のツルを挿通する際の引っ掛かりが少ないので好ましい。
【００２４】
なお、本実施形態では、頂部押さえ布１１、１２、側頭部押さえ布１３、１４、頸部布１８、上側縁取り布４及び下側縁取り布６の合わせ目Ｓが両面飾り縫いで縫い付けられていて、着用時の縫い目による違和感を防止しているが、縫い方はこれに限定されず、例えば通常のロック縫いでもよい。
又、頸部布１８の下部の内側には、周方向に沿って調整ベルト１９が縫い付けられていて、調整ベルト１９を引っ張ることで頸部布１８が縮径し、頸部からの異物の落下を防止することができる。
さらに、頸部布１８の下方に、着用者の首周りから肩にかけて覆うケープ布３０を設けてもよい。ケープ布３０はスカート状に広がって形成される。ケープ布３０は、頸部布１８と一体の布地で形成してもよく、頸部布１８と縫い付けてもよい。
【００２５】
又、図７（ａ）に示すように、各頂部押さえ布１１、１２及び各側頭部押さえ布１３、１４をメッシュ素材から構成してもよい。各頂部押さえ布１１、１２及び各側頭部押さえ布１３、１４をメッシュ素材から構成すると、通気性が良いので長時間の着用に耐えることができる。但し、メッシュ素材から髪の毛が貫通して外部に飛び出したり落下することがあるので、図７（ｂ）に示すように、各頂部押さえ布１１、１２及び各側頭部押さえ布１３、１４をカバー（布帛）２０で覆うのがよい。
なお、図７は作業用フードの右側面図を示しており、図７（ａ）では各頂部押さえ布１１、１２及び各側頭部押さえ布１３、１４のうち、頂部押さえ布１２及び側頭部押さえ布１４のみ見えている。又、図７（ｂ）では頂部押さえ布１２、側頭部押さえ布１４及び頸部をカバー（布帛）２０がすっぽりと覆い、上側縁取り布４及び下側縁取り布６の縁がカバー（布帛）２０よりはみ出ている。
【００２６】
次に、本発明の第２の実施形態に係る作業用フード１１０について説明する。
図８は本発明の第２の実施形態に係る作業用フード１１０の正面図、図９は作業用フード１１０の側面図、図１０は作業用フード１１０の上面図、図１１は作業用フード１１０の背面図を示す。
なお、作業用フード１１０は、側頭部押さえ布を有しないこと以外は、第１の発明の実施形態に係る作業用フード１００と同一であるので、同一構成部分については同一符号を付して説明を省略する。
【００２７】
図８、図９に示すように、作業用フード１１０は着用者の頭部及び頸部を覆う頭巾状に形成され、上側縁取り布４と、下側縁取り布６と、を有する。但し、上側縁取り布４は、図１の縫い目４ｘが設けられていない。
作業用フード１１０の作業用フード本体１０ｂは、着用者の頸部を覆う略筒状の頸部布１８ｂと、開口部２の上側周縁２ａの中央部から頂部１０ａ（図９、図１０参照）を通って頸部布１８ｂに接合される２枚の頂部押さえ布１１ｂ、１２ｂと、を備えている。
ここで、頸部布１８ｂは、着用者の頸部を超えて、上側周縁４と前記下側周縁６との交点Ｐの高さ（つまり、着用者のほぼ耳上端）まで形成されている。そして、頂部押さえ布１１ｂ、１２ｂは、頸部布１８ｂの上端と合わせ目Ｓで縫合されている。
なお、頸部布１８ｂの下方には、図１のケープ布３０は設けられておらず、頸部布１８ｂの下端は腹側が背側よりやや下方に垂れ下がり、着用者の首の付け根まで覆っている。又、頸部布１８ｂは、背側の中心線Ｌに縫い目が設けられている（図１１参照）。
【００２８】
作業用フード１１０においても、下側縁取り布６の一部にスリット（挿通部）６ｓを形成すればよいので、眼鏡のツルを挿通する別部材が不要となり、部材点数や縫い付け作業が低減してコストダウンが図られる。又、下側縁取り布６の上に上側縁取り布４を重ねているので、下側縁取り布６に設けられた挿通部６ｓが上側縁取り布４で隠れて表側に露出しない。このため、作業用フード内の着用者の頭部から髪の毛等が脱落して挿通部６ｓを通ったとしても、上側縁取り布４で保持されて外部に落下することが防止される。
【００２９】
図１２、図１３は、それぞれ第１の実施形態に係る作業用フード１００、第２の実施形態に係る作業用フード１１０の底面図を示す。
【００３０】
図１４は、第１の実施形態に係る作業用フード１００の内側から見たときの、スリット６ｓに眼鏡のツル８１を挿通する状態を示す平面図である。
又、図１５は、図１４においてスリット６ｓの代わりに、切り欠き部６ｔ１を挿通部として設けた場合の切り欠き部６ｔ１に眼鏡のツル８１を挿通する状態を示す平面図である。図１４、図１５のいずれにおいても、下側縁取り布６の他の長辺６ｆが前方に向かって開口し、この開口部から着用者の眼鏡８０のツル８１を挿通し、スリット６ｓ又は切り欠き部６ｔ１にツル８１を通すことができる。
図１５の場合、下側縁取り布６のうち、一方の長辺６ｉ側は切り欠き部６ｔ１で前方に向かって凹む弧状に切り欠かれ、切り欠き部６ｔ１より後方（図１５の右側）のハッチング部Ｈで上側縁取り布４が露出している。切り欠き部６ｔ１を設けた場合、スリット６ｓに比べて眼鏡のツル８１の引っ掛かりが少なく、眼鏡のツル８１を挿通及び脱着しやすいので好ましい。
【００３１】
次に、本発明の第３の実施形態に係る作業用フード２００について説明する。
図１６は本発明の第３の実施形態に係る作業用フード２００の正面図、図１７は作業用フード２００の側面図、図１８は作業用フード２００の内側から見たときの、挿通部６ｔ２に眼鏡のツル８１を挿通する状態を示す平面図である。
作業用フード２００は、着用者の頭部から顔部を経て肩部、胸部及び背中にかけて覆う頭巾状に形成され、着用者の顔の少なくとも一部を露出させる開口部２を有する作業用フード本体２１０と、開口部２の上側周縁２ａに取り付けられる帯状伸縮性の上側縁取り布４０と、開口部２の下側周縁２ｂに取り付けられる帯状伸縮性の下側縁取り布６０と、を有する。開口部２からは、着用者の顔面（通常、目、鼻、口）を露出させることができる。
作業用フード本体２１０は、肩部から胸部にかけて、中心で分割したエプロン状の前掛け部２１１、２１２を有し、左側の前掛け部２１１が外側（上前）になるように両前掛け部２１１、２１２を合わせ、左襟の凸部に右襟の穴を係合させて着用する。又、肩部から背中にかけて、エプロン状の背掛け部２１３が形成されている。このように、両前掛け部２１１、２１２を合わせることで、開口部２が顔の周囲を囲むようになっている。従って、作業用フード２００においては、下側周縁２ｂが左右で２個存在し、下側縁取り布６０も左右で２個設けられる。
又、上側縁取り布４０の頂部には、庇２１５が縫い付けられている。
【００３２】
図１７に示すように、側面から見て、開口部２の上側周縁２ａと下側周縁２ｂとは、着用者のこめかみ近傍の「くの字」状の交点Ｐで（図１８参照）交わっている。上側縁取り布４０及び下側縁取り布６０は、伸縮性を有する例えばネット状に編み込まれたニット素材の帯状体からなり、伸長しない状態でそれぞれの一方の長辺４０ｉ、６０ｉが上側周縁２ａ、下側周縁２ｂに接合（縫合）される。
これにより、着用時には着用者の顔の大きさや形状に追随して上側縁取り布４０及び下側縁取り布６０が伸縮し、着用者の顔と密着するので、作業時に頭が動いてもそれに追随して顔面からの髪の毛等の異物落下を防止する。
なお、上側縁取り布４０が着用者の額から両こめかみ近傍に密着し、下側縁取り布６０が着用者の両こめかみ近傍から頬に密着する。
【００３３】
上側縁取り布４０は着用者の額から両こめかみに向かって立ち下り、上側縁取り布４０の両端４０ｅは、開口部の両側面部（交点Ｐ近傍）に接合されている。より詳しくは、上側縁取り布４０の両端４０ｅのうち、一方の長辺４０ｉ側が開口部２の上側周縁２ａに取り付けられ、両端４０ｅの先端部分（上側縁取り布４０の短辺）が、交点Ｐから下側周縁２ｂに至る領域に取り付けられている。
一方、下側縁取り布６０は着用者の頬から両こめかみに向かって立ち上がり、下側縁取り布６０の両端６０ｅは、開口部の両側面部（交点Ｐ）に接合されている。より詳しくは、下側縁取り布６０の両端６０ｅのうち、一方の長辺６０ｉ側が開口部２の下側周縁２ｂに取り付けられ、両端６０ｅの先端部分（下側縁取り布６０の短辺）が、交点Ｐから上側周縁２ａに至る領域に取り付けられている。
【００３４】
ここで、上側縁取り布４０の両端４０ｅは、下側縁取り布６０の両端６０ｅの上にそれぞれ重なっており、重なり部Ｖにおいて、下側縁取り布６０の他の長辺６０ｆ（図１７の破線部分）は上側縁取り布４０より外側に露出せず、当該長辺６０ｆが上側縁取り布４０に覆われている。
又、重なり部Ｖにおいて、下側縁取り布６０と上側縁取り布４０の面同士、及び下側縁取り布６０の他の長辺６０ｆと上側縁取り布４０の他の長辺４０ｆとが接合されていない。このため、下側縁取り布６０の他の長辺６０ｆ（図１７の破線部分）が前方に向かって開口しつつ、この開口部から着用者の眼鏡８０のツル８１を挿通することができる。
そして、下側縁取り布６０の両端６０ｅのうち、重なり部Ｖの一部（図１７では、交点Ｐよりやや前方）に、上下方向に延びる切り欠き部（挿通部）６ｔ２が形成されている。従って、下側縁取り布６０の他の長辺６０ｆ（図１７の破線部分）から切り欠き部６ｔ２へ眼鏡８０のツル８１を挿通可能になっている（図１８参照）。
なお、切り欠き部６ｔ２は、図１５の切り欠き部６ｔ１と同様である。
【００３５】
図１８は、作業用フード２００の内側から見たときの、切り欠き部６ｔ２に眼鏡のツル８１を挿通する状態を示す平面図である。図１５の切り欠き部６ｔ１と同様に、下側縁取り布６０の他の長辺６０ｆが前方に向かって開口し、この開口部から着用者の眼鏡８０のツル８１を挿通し、切り欠き部６ｔ２にツル８１を通すことができる。
【００３６】
次に、本発明の第４の実施形態に係る作業用フード３００について説明する。
図１９は本発明の第４の実施形態に係る作業用フード３００の正面図、図２０は作業用フード３００の側面図、図２１は作業用フード３００の内側から見たときの、挿通部６ｔ３に眼鏡のツル８１を挿通する状態を示す平面図である。
作業用フード３００は、着用者の頭部から顔部を経て肩部、胸部及び背中にかけて覆う頭巾状に形成され、着用者の顔の少なくとも一部を露出させる開口部２を有する作業用フード本体３１０と、開口部２の上側周縁２ａに取り付けられる帯状伸縮性の上側縁取り布４１と、上側縁取り布４１の外面（外側）に接合（縫合）された当て布７０と、を有する。開口部２からは、着用者の顔面（通常、目、鼻、口）を露出させることができる。
なお、作業用フード３００においては、開口部２の下側周縁２ｂには下側縁取り布６０が取り付けられない。
【００３７】
作業用フード本体３１０は、肩部から胸部にかけて、中心で分割したエプロン状の前掛け部３１１、３１２を有し、左側の前掛け部３１１が外側（上前）になるように両前掛け部３１１、３１２を合わせ、左襟の凸部に右襟の穴を係合させて着用する。又、肩部から背中にかけて、エプロン状の背掛け部３１３が形成されている。このように、両前掛け部３１１、３１２を合わせることで、開口部２が顔の周囲を囲むようになっている。従って、作業用フード３００においては、下側周縁２ｂが左右で２個存在する。
又、上側縁取り布４１の頂部には、庇３１５が縫い付けられている。
【００３８】
図２０に示すように、側面から見て、開口部２の上側周縁２ａは着用者の額から両こめかみに向かって湾曲している。上側縁取り布４１は、伸縮性を有する例えばネット状に編み込まれたニット素材の帯状体からなり、伸長しない状態で一方の長辺４１ｉが上側周縁２ａに接合（縫合）される。
これにより、着用時には着用者の顔の大きさや形状に追随して上側縁取り布４１が伸縮し、着用者の顔と密着するので、作業時に頭が動いてもそれに追随して顔面からの髪の毛等の異物落下を防止する。
なお、下側周縁２ｂの前縁は上側縁取り布４１の他の長辺４１ｆと繋がりつつ、着用者の両こめかみ近傍から頬までほぼ垂直に立ち下がっている。
【００３９】
より詳しくは、上側縁取り布４１の両端のうち、一方の長辺４１ｉ側が開口部２の上側周縁２ａに取り付けられ、両端の先端部分（上側縁取り布４１の短辺）が、作業用フード本体３１０に縫い付けられている。
【００４０】
ここで、上側縁取り布４１の両端４１ｅの外側にそれぞれ重なるように当て布７０(図２０では２枚の当て布のうち、左側の当て布のみ図示)が縫合され、上側縁取り布４１と重なり部Ｖが形成されている。当て布７０の前縁７０ｆはほぼ垂直になっている。
又、重なり部Ｖにおいて、当て布７０と上側縁取り布４１の面同士、及び当て布７０の前縁７０ｆと上側縁取り布４１とが接合されていない。このため、当て布７０の前縁７０ｆが前方に向かって開口しつつ、この開口部から着用者の眼鏡８０のツル８１を挿通することができる。
そして、重なり部Ｖにおける上側縁取り布４１のうち、当て布７０の後縁よりやや前方側の部分が、前方に向かって凹むように湾曲して切り欠かれ、この切り欠き部分が挿通部７ｔとなっている。なお、当て布７０は切り欠き部７ｔを覆っている。従って、当て布７０の前縁７０ｆから上側縁取り布４１の切り欠き部７ｔへ眼鏡８０のツル８１を挿通可能になっている（図２１参照）。
【００４１】
図２１は、作業用フード３００の内側から見たときの、切り欠き部７ｔに眼鏡のツル８１を挿通する状態を示す平面図である。図１５の切り欠き部６ｔ１と同様に、当て布７０の前縁７０ｆが前方に向かって開口し、この開口部から着用者の眼鏡８０のツル８１を挿通し、切り欠き部７ｔにツル８１を通すことができる。
【００４２】
本発明は上記実施形態に限定されず、本発明の思想と範囲に含まれる様々な変形及び均等物に及ぶことはいうまでもない。
例えば、当て布（又は下側縁取り布）と上側縁取り布の面同士は少なくとも一部が接合されていなければよく、当て布（又は下側縁取り布）の前縁と上側縁取り布の他の長辺との少なくとも一部が接合されていなければよい。
又、挿通部としては、布の上下に延びるスリット、布に開口した孔（ホール）の他、重なり部で内側の布の一部を切り欠いたものが挙げられる。これら挿通部の上下方向の寸法は、重なり部の上下方向の寸法より小さく、眼鏡のツルが挿通部より上下に動かずに挿通部内に保持され、眼鏡がずり落ちることを防止する。又、挿通部は重なり部の領域より内側に位置するので、重なり部のうち外側の布によって挿通部が覆われ、挿通部が外側に露出することが防止される。
【符号の説明】
【００４３】
２                  開口部
２ａ                上側周縁
２ｂ                下側周縁
４，４０，４１            上側縁取り布
４ｅ、４０ｅ、４１ｅ      上側縁取り布の両端
４ｆ                上側縁取り布の他方の長辺
４ｉ                上側縁取り布の一方の長辺
６、６０                  下側縁取り布
６ｅ                下側縁取り布の両端
６ｆ                下側縁取り布の他方の長辺
６ｉ                下側縁取り布の一方の長辺
６ｓ、６ｔ１、６ｔ２、７ｔ                挿通部
１０                作業用フード本体
１１、１２          頂部押さえ布
１３、１４          側頭部押さえ布
１８                頸部布
１９                調整ベルト
２０                カバー（布帛）
７０                当て布
７０ｆ              当て布の前縁
８０                着用者の眼鏡
８１                眼鏡のツル
１００，１１０、２００，３００      作業用フード
Ｖ                  重なり部
【図１】
2012137357.tif 000003
【図２】
2012137357.tif 000004
【図３】
2012137357.tif 000005
【図４】
2012137357.tif 000006
【図５】
2012137357.tif 000007
【図６】
2012137357.tif 000008
【図７】
2012137357.tif 000009
【図８】
2012137357.tif 000010
【図９】
2012137357.tif 000011
【図１０】
2012137357.tif 000012
【図１１】
2012137357.tif 000013
【図１２】
2012137357.tif 000014
【図１３】
2012137357.tif 000015
【図１４】
2012137357.tif 000016
【図１５】
2012137357.tif 000017
【図１６】
2012137357.tif 000018
【図１７】
2012137357.tif 000019
【図１８】
2012137357.tif 000020
【図１９】
2012137357.tif 000021
【図２０】
2012137357.tif 000022
【図２１】
2012137357.tif 000023
【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
着用者の頭部を覆いつつ、顔の少なくとも一部を露出させる開口部を有する作業用フード本体と、
前記作業用フード本体の開口部の上部を含む上側周縁に、自身の一方の長辺が取り付けられる帯状伸縮性の上側縁取り布と、
を有する作業用フードであって、
前記上側縁取り布の両端の内側又は外側にそれぞれ重なるように当て布が接合され、
当該重なり部において、前記当て布と前記上側縁取り布の面同士の少なくとも一部、及び前記当て布の前縁と前記上側縁取り布との少なくとも一部が接合されず、
前記当て布と前記上側縁取り布のうち内側の布における前記重なり部の一部の領域で、かつ前記当て布の前記前縁より後側の位置に、前記重なり部における前記当て布の前縁を通って前記着用者の眼鏡のツルを挿通させる挿通部が設けられ、
前記当て布は、前記上側縁取り布の両端の内側にそれぞれ重なるように接合され、当該重なり部において、前記当て布の前縁は前記上側縁取り布より外側に露出しない作業用フード。
【請求項２】
着用者の頭部を覆いつつ、顔の少なくとも一部を露出させる開口部を有する作業用フード本体と、
前記作業用フード本体の開口部の上部を含む上側周縁に、自身の一方の長辺が取り付けられる帯状伸縮性の上側縁取り布と、
を有する作業用フードであって、
前記作業用フード本体の開口部のうち前記上側周縁より下側の領域に、自身の一方の長辺が取り付けられる帯状伸縮性の下側縁取り布を有し、
前記下側縁取り布の両端は、前記開口部の両側面部にそれぞれ接合され、
前記上側縁取り布の両端は、前記下側縁取り布の両端の上にそれぞれ重なり、当該重なり部において、前記下側縁取り布の他の長辺は前記上側縁取り布より外側に露出せず、
かつ前記重なり部において、前記下側縁取り布と前記上側縁取り布の面同士の少なくとも一部、及び前記下側縁取り布の他の長辺と前記上側縁取り布の他の長辺との少なくとも一部が接合されず、
前記下側縁取り布の両端のうち前記他の長辺より後側で、かつ前記重なり部の一部に、前記重なり部における前記下側縁取り布の他の長辺を通って前記着用者の眼鏡のツルを挿通させる挿通部が設けられている作業用フード。
【請求項３】
前記作業用フード本体は、
前記着用者の少なくとも頸部を覆い、前記開口部の下側周縁の少なくとも一部をなす略筒状の頸部布と、
前記開口部の上側周縁の少なくとも一部をなすと共に頂部を通ってから後頭部又は頸部にて前記頸部布に接合され、上下方向の中心線に沿って分割される２枚の頂部押さえ布と、
を備えている請求項１又は２に記載の作業用フード。
【請求項４】
前記頸部布は、前記上側周縁と前記下側周縁との交点の高さまで形成されている請求項１〜３のいずれかに記載の作業用フード。
【請求項５】
前記頸部布及び前記頂部押さえ布の間に位置してこれらに接合されると共に、前記開口部の上側周縁及び下側周縁の一部をなし、前記着用者の側頭部を左右からそれぞれ覆う２枚の側頭部押さえ布と、を備えている請求項１〜４のいずれかに記載の作業用フード。
【請求項６】
前記頸部布、前記頂部押さえ布、及び前記側頭部押さえ布が両面飾り縫いで縫い付けられている請求項１〜５のいずれかに記載の作業用フード。
【請求項７】
前記頸部布に、周方向に沿って調整ベルトが設けられている請求項１〜６のいずれかに記載の作業用フード。
【請求項８】
前記頂部押さえ布及び前記側頭部押さえ布がメッシュ素材からなり、さらに前記頂部押さえ布及び前記側頭部押さえ布を着脱自在に覆うカバーを有する請求項３〜７のいずれかに記載の作業用フード。
【手続補正２】
【補正対象書類名】明細書
【補正対象項目名】０００６
【補正方法】変更
【補正の内容】
【０００６】
本発明の作業用フードは、着用者の頭部を覆いつつ、顔の少なくとも一部を露出させる開口部を有する作業用フード本体と前記作業用フード本体の開口部の上部を含む上側周縁に、自身の一方の長辺が取り付けられる帯状伸縮性の上側縁取り布と、を有する作業用フードであって、前記上側縁取り布の両端の内側又は外側にそれぞれ重なるように当て布が接合され、当該重なり部において、前記当て布の前縁は前記上側縁取り布より外側に露出せず、かつ前記重なり部において、前記当て布と前記上側縁取り布の面同士の少なくとも一部、及び前記当て布の前縁と前記上側縁取り布との少なくとも一部が接合されず、前記当て布と前記上側縁取り布のうち内側の布における前記重なり部の一部の領域で、かつ前記当て布の前記前縁より後側の位置に、前記重なり部における前記当て布の前縁を通って前記着用者の眼鏡のツルを挿通させる挿通部が設けられ、前記当て布は、前記上側縁取り布の両端の内側にそれぞれ重なるように接合され、当該重なり部において、前記当て布の前縁は前記上側縁取り布より外側に露出しない。
このような構成とすると、眼鏡のツルを挿通させる前後の部位である、当て布の前縁から挿通部までの部位が当て布と上側縁取り布との重なり部となっているので、この重なり部で眼鏡のツルがしっかりと保持される。従って、作業用フード内の着用者の頭部から髪の毛等が脱落して眼鏡のツルから挿通部を通ったとしても、重なり部の両布（当て布と上側縁取り布）で押さえられるので、外部に落下することが防止される。
又、眼鏡のツルを通す挿通部が重なり部の領域内（つまり、上下方向に見て挿通部が重なり部の寸法より小さい）に設けられているので、眼鏡のツルが挿通部より上下に動かずに挿通部内に保持され、眼鏡がずり落ちることを防止する。さらに、この挿通部は当て布と上側縁取り布のうち内側の布に設けられるので、挿通部が外部に露出せず、髪の毛等が脱落して眼鏡のツルから挿通部を通ったとしても、外側の布で押さえられる。
又、眼鏡のツルを挿通させる部位である、重なり部における当て布の前縁から挿通部までの部位が上側縁取り布に覆われているので、当て布の前縁及び挿通部が表側に露出しない。このため、作業用フード内の着用者の頭部から髪の毛等が脱落して眼鏡のツルから挿通部を通り、当て布の前縁へ移動したとしても、上側縁取り布で押さえられるので（保持されるので）外部に落下することが防止される。又、当て布の前縁が上側縁取り布で覆われているので、髪の毛等が外部に落下することが確実に防止される。
【手続補正３】
【補正対象書類名】明細書
【補正対象項目名】０００７
【補正方法】削除
【補正の内容】
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
着用者の頭部を覆いつつ、顔の少なくとも一部を露出させる開口部を有する作業用フード本体と、
前記作業用フード本体の開口部の上部を含む上側周縁に、自身の一方の長辺が取り付けられる帯状伸縮性の上側縁取り布と、
を有する作業用フードであって、
前記上側縁取り布の両端の内側又は外側にそれぞれ重なるように当て布が接合され、
当該重なり部において、前記当て布と前記上側縁取り布の面同士の少なくとも一部、及び前記当て布の前縁と前記上側縁取り布との少なくとも一部が接合されず、
前記当て布と前記上側縁取り布のうち内側の布における前記重なり部の一部の領域で、かつ前記当て布の前記前縁より後側の位置に、前記重なり部における前記当て布の前縁を通って前記着用者の眼鏡のツルを挿通させる挿通部が設けられ、
前記当て布は、前記上側縁取り布の両端の内側にそれぞれ重なるように接合され、当該重なり部において、前記当て布の前縁は前記上側縁取り布より外側に露出しない作業用フード。
【請求項２】
着用者の頭部を覆いつつ、顔の少なくとも一部を露出させる開口部を有する作業用フード本体と、
前記作業用フード本体の開口部の上部を含む上側周縁に、自身の一方の長辺が取り付けられる帯状伸縮性の上側縁取り布と、
を有する作業用フードであって、
前記作業用フード本体の開口部のうち前記上側周縁より下側の領域に、自身の一方の長辺が取り付けられる帯状伸縮性の下側縁取り布を有し、
前記下側縁取り布の両端は、前記開口部の両側面部にそれぞれ接合され、
前記上側縁取り布の両端は、前記下側縁取り布の両端の上にそれぞれ重なり、当該重なり部において、前記下側縁取り布の他の長辺は前記上側縁取り布より外側に露出せず、
かつ前記重なり部において、前記下側縁取り布と前記上側縁取り布の面同士の少なくとも一部、及び前記下側縁取り布の他の長辺と前記上側縁取り布の他の長辺との少なくとも一部が接合されず、
前記下側縁取り布の両端のうち前記他の長辺より後側で、かつ前記重なり部の一部に、前記重なり部における前記下側縁取り布の他の長辺を通って前記着用者の眼鏡のツルを挿通させる挿通部が設けられている作業用フード。
【請求項３】
前記作業用フード本体は、
前記着用者の少なくとも頸部を覆い、前記開口部の下側周縁の少なくとも一部をなす略筒状の頸部布と、
前記開口部の上側周縁の少なくとも一部をなすと共に頂部を通ってから後頭部又は頸部にて前記頸部布に接合され、上下方向の中心線に沿って分割される２枚の頂部押さえ布と、
を備えている請求項１又は２に記載の作業用フード。
【請求項４】
前記頸部布は、前記上側周縁と前記下側周縁との交点の高さまで形成されている請求項３に記載の作業用フード。
【請求項５】
前記頸部布及び前記頂部押さえ布の間に位置してこれらに接合されると共に、前記開口部の上側周縁及び下側周縁の一部をなし、前記着用者の側頭部を左右からそれぞれ覆う２枚の側頭部押さえ布、を備えている請求項３又は４に記載の作業用フード。
【請求項６】
前記頸部布、前記頂部押さえ布、及び前記側頭部押さえ布が両面飾り縫いで縫い付けられている請求項５に記載の作業用フード。
【請求項７】
前記頸部布に、周方向に沿って調整ベルトが設けられている請求項３〜６のいずれかに記載の作業用フード。
【請求項８】
前記頂部押さえ布及び前記側頭部押さえ布がメッシュ素材からなり、さらに前記頂部押さえ布及び前記側頭部押さえ布を着脱自在に覆うカバーを有する請求項５〜７のいずれかに記載の作業用フード。
【国際調査報告】
2012137357.tif 000024
2012137357.tif 000025
2012137357.tif 000026
2012137357.tif 000027